(57)【要約】【課題】転写むらの少ない画像形成方法および画像形成装置を提供する。【解決手段】小径（２ｐｌ）の液滴２０Ａを吐出するドットには予め４ｐｌの補助液滴２１Ａを吐出し、中径（４ｐｌ）の液滴２０Ａを吐出するドットには同様に２ｐｌの補助液滴２１Ａを吐出するように液量を制御し、補助液滴２１Ａを添加することで、小径・中径ともに大径（６ｐｌ）と同じ液量（水分量）のドットとなり、水分量不足による転写不良を防ぐことができる。すなわち図３（Ｂ）に示すように、小径、中径のドットでも、補助液滴２１Ａを添加することにより、十分な粘着性をもつ転写ＯＫ領域の液量とすることができる。【選択図】図３
2009202344.tif 000002
【特許請求の範囲】
【請求項１】
記録材を含む記録液体を受容可能な液体受容性粒子を用いて中間転写体上に液体受容性粒子層を形成する粒子層形成工程と、
所定のデータに基づいて前記液体受容性粒子層の所定の位置に前記記録液体の液滴を付与するとともに、前記中間転写体上の前記液体受容性粒子層の表面近傍に前記記録材を保持して、前記液体受容性粒子層の表面近傍に前記記録材の画像を形成する画像形成工程と、
前記画像が被転写体と前記液体受容性粒子層で挟まれるように、前記記録液体が付与された前記液体受容性粒子層を前記中間転写体から剥離して前記被転写体に転写する剥離転写工程と、
前記画像の形成範囲において転写補助液を付与する転写補助液吐出工程と、を含むことを特徴とする画像形成方法。
【請求項２】
前記転写補助液の吐出量は、前記液滴の吐出量に応じて前記画像画像のドット単位で算出することを特徴とする請求項１に記載の画像画像形成方法。
【請求項３】
前記転写補助液の吐出量は、前記液滴の吐出量に応じて前記画像画像の吐出面積単位で算出することを特徴とする請求項１に記載の画像画像形成方法。
【請求項４】
前記液滴の吐出量と前記転写補助液の吐出量との合計が前記画像画像の形成範囲において、ドット毎に一定量またはそれ以上の量であることを特徴とする請求項１〜請求項３の何れか１項に記載の画像形成方法。
【請求項５】
前記転写補助液の吐出量は、前記画像の形成範囲において、ドット単位で一定量であることを特徴とする請求項１に記載の画像形成方法。
【請求項６】
前記転写補助液が淡色インクであることを特徴とする請求項１〜請求項３の何れか１項に記載の画像形成方法。
【請求項７】
中間転写体と、
記録材を含む記録液体を受容可能であるとともに該記録材を表面に保持可能な液体受容性粒子を前記中間転写体に供給して所定の層厚の液体受容性粒子層を形成する粒子供給手段と、
所定のデータに基づいて前記液体受容性粒子層に前記記録液体の液滴を付与して前記液体受容性粒子層の表面近傍に前記記録材の画像を形成する液滴吐出手段と、
前記画像が被転写体と前記液体受容性粒子層で挟まれるように、前記記録液体が付与された前記液体受容性粒子層を前記被転写体に転写する転写手段と、
前記画像の形成範囲において、前記画像のドット単位で転写補助液を付与する転写補助液吐出手段と、を有することを特徴とする画像形成装置。
【請求項８】
前記転写補助液の吐出量は、前記液滴の吐出量に応じて前記画像のドット単位で算出することを特徴とする請求項７に記載の画像形成装置。
【請求項９】
前記転写補助液の吐出量は、前記液滴の吐出量に応じて前記画像の吐出面積単位で算出することを特徴とする請求項７に記載の画像形成装置。
【請求項１０】
前記液滴の吐出量と前記転写補助液の吐出量との合計が、前記画像の形成範囲において、ドット毎に一定量またはそれ以上の量であることを特徴とする請求項７〜請求項９の何れか１項に記載の画像形成装置。
【請求項１１】
前記転写補助液の吐出量は、前記画像の形成範囲において、ドット単位で一定量であることを特徴とする請求項７に記載の画像形成装置。
【請求項１２】
前記転写補助液が淡色インクであることを特徴とする請求項７〜請求項９の何れか１項に記載の画像形成装置。
【発明の詳細な説明】
【技術分野】
【０００１】
本発明は、画像形成方法および画像形成装置に関し、詳しくは、中間転写体表面に液滴にて画像記録を行った後、前記画像を記録媒体に転写し、前記記録媒体表面に画像記録する中間転写型記録方式による画像形成方法および画像形成装置に関する。
【背景技術】
【０００２】
水性インクを用いた中間転写型インクジェット記録方法であって、中間体上に予め界面活性剤を塗布して濡れ性を上げるインクジェット記録方式が提案されている（例えば、特許文献１参照）。
【０００３】
上記の例では中間体上での像形成性と中間体から記録媒体への転写性を両立させている。しかし上記の例は加熱により水を蒸発させる方式であって、インク粘度が増加するまでは時間がかかる。また、加熱蒸発で完全に水分がなくなる訳ではないため、高速転写記録には向かず、紙幅記録ヘッドにより高速化を行った場合、高速化には限界が生じる。加えて非浸透紙には対応できない。
【０００４】
あるいは中間転写体上に予め液体により溶解又は膨潤可能な粉末を形成し、インクジェット記録ヘッドにより転写体上に画像を形成した後、画像を記録媒体に転写する方法が提案されている（例えば、特許文献２参照）。
【０００５】
しかし上記の方法では膨潤した樹脂を転写する為、転写時の圧力により樹脂が押しつぶされて転写体上に広がり、画像が乱れてしまうといった問題がある。
【０００６】
そこで色材を含んだ液を受容し、色材のみを表面にトラップする液体受容性粒子を用いて中間転写体上に層を形成し、この上に液滴を吐出して文字や画像などの画像を形成、これを記録媒体に再転写、定着することで記録媒体上に色材画像を形成する画像形成装置が考案されている（例えば、特許文献３参照）。
【０００７】
しかし、記録媒体の表面状態によっては画像を記録した液体受容性粒子が正しく転写されない虞がある。すなわち記録される画像の構造による液量の違いにより、粒子の粘着力が画像内で不均一に発現し、転写むらを引き起こす原因となることがある。これは特に液量の少ない領域で起こりやすい傾向にある。
【０００８】
転写性を向上させるため、液滴と接触すると増粘する材料を転写体に付着させ、液滴で形成された画像を転写する構成が開示されている（例えば、特許文献４参照）が、液滴の吐出された箇所のみ増粘するので、上記のように液量の少ない領域で起こる転写不良を防ぐことはできない。
【特許文献１】特開平０７−  ８９０６７号公報
【特許文献２】特開平１１−１８８８５８号公報
【特許文献３】特開２００６−３４７０８１号公報
【特許文献４】特開２００１−３４７７４７号公報
【発明の開示】
【発明が解決しようとする課題】
【０００９】
本発明は画像形成方法および画像形成装置において、転写むらの少ない画像形成方法および画像形成装置を提供することを目的とする。
【課題を解決するための手段】
【００１０】
請求項１に記載の画像形成方法は、記録材を含む記録液体を受容可能な液体受容性粒子を用いて中間転写体上に液体受容性粒子層を形成する粒子層形成工程と、所定のデータに基づいて前記液体受容性粒子層の所定の位置に前記記録液体の液滴を付与するとともに、前記中間転写体上の前記液体受容性粒子層の表面近傍に前記記録材を保持して、前記液体受容性粒子層の表面近傍に前記記録材の画像を形成する画像形成工程と、前記画像が被転写体と前記液体受容性粒子層で挟まれるように、前記記録液体が付与された前記液体受容性粒子層を前記中間転写体から剥離して前記被転写体に転写する剥離転写工程と、前記画像の形成範囲において転写補助液を付与する転写補助液吐出工程と、を含むことを特徴とする。
【００１１】
上記構成の発明では、中間転写体表面に形成された液体受容性粒子層上の液滴画像形成範囲に転写補助液を付与することで、記録液が付与された液体受容性粒子層の、被転写体への転写不良を防ぐことができる。
【００１２】
請求項２に記載の画像形成方法は、請求項１に記載の構成において、前記転写補助液の吐出量は、前記液滴の吐出量に応じて前記画像のドット単位で算出することを特徴とする。
【００１３】
上記構成の発明では、画線部のドットにおける液量を常に十分なものとすることで、転写に必要な粘着性を確保することができる。
【００１４】
請求項３に記載の画像形成方法は、請求項１に記載の構成において、前記転写補助液の吐出量は、前記液滴の吐出量に応じて前記画像の吐出面積単位で算出することを特徴とする。
【００１５】
上記構成の発明では、画線部のドットにおける、転写媒体との接触面積を常に十分なものとすることで、転写に必要な粘着性を確保することができる。
【００１６】
請求項４に記載の画像形成方法は、請求項１〜請求項３の何れか１項に記載の構成において、前記液滴の吐出量と前記転写補助液の吐出量との合計が前記画像の形成範囲において、ドット毎に一定量またはそれ以上の量であることを特徴とする。
【００１７】
上記構成の発明では、画線部のドットにおける液量を常に十分なものとすることで、転写に必要な粘着性を確保することができる。
【００１８】
請求項５に記載の画像形成方法は、請求項１に記載の構成において、前記転写補助液の吐出量は、前記画像の形成範囲において、ドット単位で一定量であることを特徴とする。
【００１９】
上記構成の発明では、画線部のドットにおける液量を常に十分なものとすることで、転写に必要な粘着性を確保することができ、かつ常に転写補助液量を一定として液量を算出するプロセスを省くことができる。
【００２０】
請求項６に記載の画像形成方法は、請求項１〜請求項３の何れか１項に記載の構成において、前記転写補助液が淡色インクであることを特徴とする。
【００２１】
上記構成の発明では、転写補助液として淡色インクを用いることで、豊富な階調を実現しながら、さらに画線部のドットにおける液量を常に十分なものとすることで、転写に必要な粘着性を確保することができる。
【００２２】
請求項７に記載の画像形成装置は、中間転写体と、記録材を含む記録液体を受容可能であるとともに該記録材を表面に保持可能な液体受容性粒子を前記中間転写体に供給して所定の層厚の液体受容性粒子層を形成する粒子供給手段と、所定のデータに基づいて前記液体受容性粒子層に前記記録液体の液滴を付与して前記液体受容性粒子層の表面近傍に前記記録材の画像を形成する液滴吐出手段と、前記画像が被転写体と前記液体受容性粒子層で挟まれるように、前記記録液体が付与された前記液体受容性粒子層を前記被転写体に転写する転写手段と、前記画像の形成範囲において、前記画像のドット単位で転写補助液を付与する転写補助液吐出手段と、を有することを特徴とする。
【００２３】
請求項８に記載の画像形成装置は、請求項７に記載の構成において、前記転写補助液の吐出量は、前記液滴の吐出量に応じて前記画像のドット単位で算出することを特徴とする。
【００２４】
請求項９に記載の画像形成装置は、請求項７に記載の構成において前記転写補助液の吐出量は、前記液滴の吐出量に応じて前記画像の吐出面積単位で算出することを特徴とする。
【００２５】
請求項１０に記載の画像形成装置は、請求項７〜請求項９の何れか１項に記載の構成において、前記液滴の吐出量と前記転写補助液の吐出量との合計が、前記画像の形成範囲において、ドット毎に一定量またはそれ以上の量であることを特徴とする。
【００２６】
請求項１１に記載の画像形成装置は、請求項７に記載の構成において、前記転写補助液の吐出量は、前記画像の形成範囲において、ドット単位で一定量であることを特徴とする。
【００２７】
請求項１２に記載の画像形成装置は、請求項７〜請求項９の何れか１項に記載の構成において、前記転写補助液が淡色インクであることを特徴とする。
【発明の効果】
【００２８】
本発明は上記構成としたので、転写むらの少ない画像形成方法および画像形成装置とすることができた。
【発明を実施するための最良の形態】
【００２９】
＜装置全体＞
最初に装置全体について説明する。
【００３０】
図１には、本発明の第１実施形態に係る画像形成装置が示されている。
【００３１】
図１に示すように、本発明の画像形成装置１０は、無端ベルト状の中間転写体１２、中間転写体１２表面を帯電させる帯電装置２８、中間転写体１２上の帯電された領域に液受容性粒子１６を均一かつ一定厚に付着させ粒子層を形成する粒子塗布装置１８、粒子層上に補助液滴を吐出し、粒子層の水分量を調整する補助液滴吐出ヘッド２１、粒子層上に液滴を吐出し画像を形成する液滴吐出ヘッド２０、記録媒体８を中間転写体１２と重ね合わせ、圧力及び熱を加える事により記録媒体８上に液受容性粒子層を転写及び定着する転写定着装置２２を含んで構成されている。
【００３２】
帯電装置２８の上流側には、中間転写体１２表面から記録媒体８へ液受容性粒子層１６Ａの転写効率を向上させる為、中間転写体１２表面より液受容性粒子層１６Ａを離形促進させる為の離形層１４Ａを形成する離形剤塗布装置１４が配置される。帯電装置２８により表面に電荷を形成した中間転写体１２の表面は粒子塗布装置１８にて液受容性粒子１６を均一な層として形成される。
【００３３】
本実施形態においては、この粒子層に補助液を添加し、後の工程での転写に十分な粘着性をもたせるために必要な水分を含有させる目的で補助液滴吐出ヘッド２１が中間転写体１２と対向する位置に設けられている。
【００３４】
次いで粒子層上には各色ごとの液滴吐出ヘッド２０すなわち２０Ｋ、２０Ｃ、２０Ｍ、２０Ｙから各色の液滴が吐出されカラー画像が形成される。
【００３５】
表面にカラー画像が形成された粒子層は転写ローラ２２にて記録媒体８にカラー画像ごと転写される。転写定着装置２２の下流には、中間転写体１２表面に残留している液受容性粒子１６（残留粒子１６Ｄ）の除去、粒子以外の異物（記録媒体８の紙粉等）の中間転写体付着物の除去を行うためのクリーニング装置２４が配置されている。
【００３６】
カラー画像を転写された記録媒体８はそのまま搬出され、中間転写体１２は再度帯電装置２８で表面に電荷を形成される。このとき、記録媒体８に転写された液受容性粒子は液滴２０Ａを吸収・保持するので速やかに搬出が可能であり、記録媒体８に液を吸収させる従来の方法に比較して装置全体の生産性を高めることができる。
【００３７】
また、必要に応じて、クリーニング装置２４と離形剤塗布装置１４の間に、中間転写体１２表面に残留する電荷を除去する為の除電器２９を配置しても良い。
中間転写体１２が周動搬送され、まず離形剤塗布装置１４により中間転写体１２表面に離形層１４Ａが形成される。離形剤塗布装置１４の塗布ローラー１４Ｃにより中間転写体１２表面に離形剤１４Ｄが塗布され、ブレード１４Ｂで層厚を規定する。
【００３８】
このとき、連続的に画像形成及びプリントを行えるようにするために、離形剤塗布装置１４を中間転写体１２に連続的に接触するようにしても良いし、中間転写体１２から適宜離間するような構成としても良い。また塗布装置に、独立した液体供給システム（図示せず）より離形剤１４Ｄを供給して、離形剤１４Ｄの供給がとぎれないようにしてもよい。
【００３９】
次に、帯電装置２８によって正の電荷を中間転写体１２表面に付与する事により、中間転写体１２表面に正の電荷が帯電される。ここでは、粒子塗布装置１８の現像ロール１８Ａと中間転写体１２表面とで形成しうる電界による静電力により、液受容性粒子１６が中間転写体１２表面に供給／吸着可能な電位を形成すればよい。
【００４０】
また、帯電装置２８をコロトロンやブラシで構成しても良い。この場合の印加電圧も上記とほぼ同様な条件で行う。特にコロトロンは中間転写体１２に非接触で電荷を与える事が可能となる。
【００４１】
次に粒子塗布装置１８により、中間転写体１２表面に液受容性粒子１６が供給され、液受容性粒子層１６Ａを形成する。粒子塗布装置１８は、液受容性粒子１６が収容される容器の、中間転写体１２と向合う部分に現像ロール１８Ａが配され、現像ロール１８Ａに押圧するように帯電ブレード１８Ｂが配される。この帯電ブレード１８Ｂは現像ロール１８Ａ表面に付着する液受容性粒子１６の層厚を規制する機能も併せ持つ。
【００４２】
現像ロール１８Ａ（導電性ロール）に液受容性粒子１６を供給し、帯電ブレード１８Ｂで液受容性粒子層１６Ａを規制するとともに中間転写体１２表面の電荷と逆極性である負に帯電する。現像ロール１８Ａはアルミ製の中実ロール、帯電ブレード１８Ｂは圧力をかけるために金属板（ＳＵＳなど）にウレタンゴムを獲り付けた物を用いることができる。帯電ブレード１８Ｂはドクター方式で現像ロール１８Ａと接する。
【００４３】
帯電された液受容性粒子１６は現像ロール１８Ａ表面に例えば略１層の粒子層を形成し、中間転写体１２表面と対向する部位に搬送され、これと近接すると現像ロール１８Ａと中間転写体１２表面との電位差により形成された電界により、帯電した液受容性粒子１６は静電力により中間転写体１２表面に移動する。
【００４４】
次いで補助液滴吐出ヘッド２１が、後述するように液受容性粒子１６からなる液受容性粒子層１６Ａに補助液滴２１Ａを添加する。
【００４５】
次に、液滴吐出ヘッド２０が液受容性粒子層１６Ａに液滴２０Ａを付与する。液滴吐出ヘッド２０は所定の画像情報に基づき、所定の位置に液滴２０Ａを付与する。
最後に、転写定着装置２２により記録媒体８と中間転写体１２を挟み込んで、液受容性粒子層１６Ａに圧力と熱を加える事で、記録媒体８上に液受容性粒子層１６Ａが転写される。
【００４６】
転写定着装置２２は加熱源を内蔵する加熱ロール２２Ａと、中間転写体１２を挟んで対向する加圧ロール２２Ｂとから構成され、加熱ロール２２Ａ及び加圧ロール２２Ｂは当接されてニップを形成する。加熱ロール２２Ａ及び加圧ロール２２Ｂには、電子写真の定着器（フューザー）と同様、アルミコアの外表面にシリコーンゴムを被覆し、更にその上をＰＦＡチューブにて被覆された物を使用することができる。
【００４７】
加熱ロール２２Ａと加圧ロール２２Ｂのニップ部において、ヒーターにより液受容性粒子層１６Ａが加熱され、かつ圧力が加わる為、記録媒体８に液受容性粒子層１６Ａが転写されると同時に定着される。
【００４８】
図２には、本発明の第１実施形態に係る画像形成のプロセスが示されている。
【００４９】
図２に示すように、中間転写体１２の表面には転写時の離形性確保および表面への水分付着による液受容性粒子１６の付着阻害を防止するために離形層塗布装置１４にて離形層１４Ａを形成する。中間転写体１２の素材がアルミやＰＥＴベースであれば特に離形層１４Ａの効果は大きい。あるいはフッ素樹脂・シリコーンゴム系の素材を用いて、中間転写体１２の表面自体に離形性を持たせるようにしてもよい。なお、図２に示すように中間転写体１２を直線的に搬送し、転写媒体８をこれに押圧する構成としてもよい。
【００５０】
次に帯電装置２８にて中間転写体１２の表面を液受容性粒子１６と逆の極性に帯電させる。これにより、粒子塗布装置１８の供給ローラ１８Ａにて供給される液受容性粒子１６を静電的に吸着させ、中間転写体１２の表面に一様な液受容性粒子１６の層を形成することができる。
【００５１】
次いで中間転写体１２の表面に粒子塗布装置１８の供給ローラ１８Ａにて液受容性粒子１６を均一な層として形成する。たとえば、形成された液受容性粒子層１６Ａは液受容性粒子１６が３層程度重なった厚みと成るように形成する。すなわち、上記のように帯電ブレード１８Ｂと供給ローラ１８Ａの空隙によって粒子層１６Ａを所望の厚さに制御することで記録媒体８に転写される粒子層１６Ａの厚さを制御する。あるいは供給ローラ１８Ａと中間転写体１２の周速比によって制御してもよい。
【００５２】
ここで、液受容性粒子１６の構造は例えば図２（Ｂ）のように定着性粒子１６Ｅと多孔質粒子１６Ｆとが空隙１６Ｇをもって凝集・造粒された、望ましくは直径２〜３μｍの２次粒子である。
【００５３】
形成された粒子層１６Ａ上に、圧電式（ピエゾ）、サーマル式などにより駆動される各色の液滴吐出ヘッド２０によって液滴２０Ａが吐出され、粒子層１６Ａに画像層１６Ｂが形成される。液滴吐出ヘッド２０から吐出された液滴２０Ａは、液受容性粒子層１６Ａに打ち込まれ、インクは液受容性粒子１６に形成された空隙１６Ｇにより速やかに吸収され、順次溶媒が多孔質粒子１６Ｆの空隙及び定着性粒子１６Ｅに吸収されるとともに、顔料（色材）が液受容性粒子１６を形成する１次粒子（定着性粒子１６Ｅと多孔質粒子１６Ｆ）表面に保持される。
【００５４】
このとき２次粒子を構成している１次粒子の空隙がフィルターの効果を発揮し、粒子層表面部近傍にインク中の顔料を保持すると共に、１次粒子表面に保持され固定される事により、液受容性粒子層１６Ａの表面近傍に多くの顔料を保持することができる。
【００５５】
また、液受容性粒子層１６Ａの表面近傍および１次粒子表面に顔料を確実に保持させるために、液滴２０Ａと液受容性粒子１６とを反応させることにより、顔料を速やかに不溶化（凝集）させる方法を採用すればより好ましい。
【００５６】
顔料が保持された後の溶媒は粒子層深さ方向に浸透すると共に、多孔質粒子１６Ｆの空隙及び定着性粒子１６Ｅに吸収されると共に、粒子間の空隙１６Ｇに保持される。またインク溶媒を吸収した定着性粒子１６Ｅは軟化することによって転写定着に寄与する。このため、次の液滴吐出ヘッド２０に進み次の色の液滴２０Ａが吐出されても、液滴２０Ａ同士が混じり合って滲む現象を抑えることができる。
【００５７】
このとき液滴２０Ａに含まれる溶媒又は分散媒は粒子層１６Ａに浸透するが、顔料等の記録材は粒子層１６Ａの表面近傍に保持される。すなわち、溶媒または分散媒は粒子層１６Ａの裏面まで浸透させても良いが、顔料等の記録材は粒子層１６Ａの裏面には浸透しない。これにより、記録媒体８に転写した際には顔料等の記録材が浸透していない粒子層１６Ｃが画像層１６Ｂの上に層を形成するため、この粒子層１６Ｃが画像層１６Ｂの表面を封じ込める保護層となる。
【００５８】
次いで画像層１６Ｂが形成された粒子層１６Ａを中間転写体１２から記録媒体８上に転写／定着する事により、記録媒体８上にカラー画像が形成される。中間転写体１２上の粒子層１６Ａはヒータなどの加熱手段にて加熱された転写定着ローラ２２によって、加熱・加圧され記録媒体８上に転写される。定着性粒子１６Ｆによる定着は、圧力かつ／又は熱により定着粒子１６Ｆ同士、及び定着粒子１６Ｆと記録媒体８とが結着する事で行われる。
【００５９】
粒子層１６Ａが剥離した後の中間転写体１２表面に残った残留粒子１６Ｄは図１のクリーニング装置２４にて回収され、中間転写体１２の表面は再度帯電装置２８にて帯電され、液受容性粒子１６が供給され粒子層１６Ａが形成される。
【００６０】
＜補助液添加プロセス＞
図２（Ａ）に示すように、液受容性粒子層１６Ａは後の工程で中間転写体１２より記録媒体８へと転写されるが、このとき液滴吐出ヘッド２０より液受容性粒子層１６Ａに吐出された液滴２０Ａの液量が少ない（液滴が小さい）場合、液受容性粒子１６が吸収する水分量が不足するため十分な粘着性を持たず、記録媒体８への転写性が不足する可能性がある。
【００６１】
このため液滴２０Ａの液量によっては補助液滴吐出ヘッド２１より補助液滴２１Ａを吐出し、同じドット上に液滴２０Ａを吐出することで全体としての液量を一定以上に維持し、液受容性粒子１６が十分な水分量を吸収するようにすれば、転写性の問題を解消することができる。
【００６２】
図３には液滴２０Ａ（インク）の液量と補助液滴２１Ａの液量、および粘着性の関係が示されている。
【００６３】
図３（Ａ）に表で示すように、同一色のインクにおいて液滴２０Ａのサイズを変更することで階調性を表現するとき、例えば小径：２ｐｌ、中径：４ｐｌ、大径：６ｐｌのように液量を制御し、液滴２０Ａのサイズを変更する方法が既に知られている。
【００６４】
しかし、小さいドットを表現するために小径の液滴２０Ａを吐出したドットでは液量が少なくなるため、中間転写体１２から記録媒体８への転写の際、液受容性粒子１６が吸収する水分量が不足するため十分な粘着性を持たず、上記のように転写不良を起こす可能性がある。
【００６５】
そこで図４にフローチャートで示す手順に従い、図３（Ａ）のように小径（２ｐｌ）の液滴２０Ａを吐出するドットには予め４ｐｌの補助液滴２１Ａを吐出し、中径（４ｐｌ）の液滴２０Ａを吐出するドットには同様に２ｐｌの補助液滴２１Ａを吐出するように液量を制御し、補助液滴２１Ａを添加することで、小径・中径ともに大径（６ｐｌ）と同じ液量（水分量）のドットとなり、水分量不足による転写不良を防ぐことができる。
【００６６】
すなわち図３（Ｂ）に示すように、小径、中径のドットでも、補助液滴２１Ａを添加することにより、十分な粘着性をもつ転写ＯＫ領域の液量とすることができる。
【００６７】
また上記の方法は単色による画像形成でも、フルカラーでも応用可能な制御方法であるが、例えば滴径一定で３色の液滴２０Ａを用いたフルカラーの場合であれば、図３（Ａ）に示すように、液滴２０Ａの液量ではなく、重ねた色の数で液量を制御するようにしてもよい。
【００６８】
すなわち、一次色（単色）なら２ｐｌ、二次色なら４ｐｌ、三次色なら６ｐｌとすることで、単色のドットには４ｐｌの補助液滴２１Ａを、二次色のドットには２ｐｌの補助液滴２１Ａを添加することで常に三次色（６ｐｌ）と同じ液量とすることができ、水分量不足による転写不良を防ぐことができる。
【００６９】
＜第２実施形態＞
上記のように本発明の第１実施形態において、液滴２０Ａの液量によっては補助液滴２１Ａを吐出し、同じドット上に補助液滴２１Ａを吐出することでドット全体としての液量を一定以上に維持し、液受容性粒子１６が十分な水分量を吸収するように制御している。
【００７０】
これに対して、同じドット上の液量増加に代えて、液の浸透するドットのサイズ（ＰＩＸＥＬ数）を大きくすることで、単位面積あたりの液量は少なくとも、ドットあたりの記録媒体８との接触面積を広く取ることで転写性を向上させることもできる。
【００７１】
図５（Ａ）には本発明の第２実施形態に係る画像形成方法におけるインク（液滴２０Ａ）のドットあたりのＰＩＸＥＬ数と粘着性の関係が示されている。図５（Ａ）に表で示すように、１ドットを形成するＰＩＸＥＬ数を増やしていけば１ドットの面積が大きくなり、記録媒体８への粘着性が向上し転写不良を防ぐことができる。
【００７２】
すなわち、例えば図５（Ｂ−１）のように３×３ＰＩＸＥＬで構成されたドットであれば転写性はＯＫであるような記録媒体８を用いた場合を考えた時、記録媒体８の表面凸凹の幅・深さによってはＰＩＸＥＬごとの粘着性はＯＫであっても、そもそも記録媒体８と接触しないために転写されない場合が考えられる。
【００７３】
そこで図６にフローチャートで示す手順に従い、図５（Ｂ−２）に示すように１ＰＩＸＥＬだけでは粘着性が不足するドットについては周囲のＰＩＸＥＬに補助液滴２１Ａを吐出し、ドット全体として３×３ＰＩＸＥＬで構成されたドットとすることにより、粘着性を図５（Ａ）の転写ＯＫ領域まで高めることができる。これにより、転写むら・抜けの発生を抑えることができる。
【００７４】
＜第３実施形態＞
前述のように、本発明の第１実施形態に係る画像形成方法においては、液滴２０Ａ（インク）が吐出されたドット同士の水分量を同一に揃えることで転写に十分な粘着性を確保している。このとき、液滴２０Ａ（インク）の吐出されたドットと、吐出されていない周囲のドットとの間において水分量を揃える補正は行っていない。
【００７５】
本発明の第３実施形態においては、上記の実施形態に加えて、液滴２０Ａ（インク）の吐出されたドットと、吐出されていない周囲のドットとの間において、液受容性粒子１６が吸収する水分量を一定に揃えることで、更に画像形成面全体における転写特性を均一にすることができる。
【００７６】
すなわち、図７（Ｂ）に示すように液滴２０Ａの液量が大滴（６ｐｌ）であれば転写ＯＫとなる粘着性が確保できる場合、図７（Ａ）に示すように液滴２０Ａ（インク）の吐出されないドットに対しては大滴（６ｐｌ）の補助液滴２１Ａを吐出し、ドット全体で水分量を６ｐｌとしている。
【００７７】
以下同様に、図８にフローチャートで示す手順に従い、液滴２０Ａが小滴（２ｐｌ）であれば中滴（４ｐｌ）の補助液滴２１Ａを、中滴（４ｐｌ）であれば小滴（２ｐｌ）の補助液滴２１Ａを、大滴（６ｐｌ）であれば補助液滴２１Ａを吐出しないように制御することで、液滴２０Ａを吐出する／しないに関わらず、常に液受容性粒子１６はドットあたり６ｐｌの吸収水分量を確保することができる。
【００７８】
これにより画像形成領域全体において転写特性が均一となり、転写された画像の表面を平滑・一様にすることができる。このため、表面にグロス（光沢）を持たせたい場合に優れた効果が期待できる。
【００７９】
＜第４実施形態＞
前述のように、本発明の第３実施形態に係る画像形成方法においては、液滴２０Ａ（インク）の吐出されたドットと、吐出されていない周囲のドットとの間において、液受容性粒子１６が吸収する水分量を一定に揃えることで、画像形成面全体における転写特性を均一にすることができる。このとき、液滴２０Ａ（インク）の吐出されたドットと、吐出されていない周囲のドットとの間において水分量を揃える補正をドット単位で行っている。
【００８０】
本発明の第４実施形態においては、上記の実施形態に対して、液滴２０Ａ（インク）の吐出されたドットと、吐出されていない周囲のドットとの間において、液受容性粒子１６が吸収する水分量を一定以上に揃えることで、画像形成面全体における転写特性をある程度まで均一に保ちながら処理を簡略化している。
【００８１】
すなわち、例えば液滴２０Ａの液量が大滴（６ｐｌ）であれば転写ＯＫとなる粘着性が確保できる場合、図９に示すように、まず液滴２０Ａ（インク）の吐出されないドットに対しては大滴（６ｐｌ）の補助液滴２１Ａを吐出し、ドット全体で水分量を６ｐｌとしている。
【００８２】
本実施形態においては、さらに液滴２０Ａの液量が小滴（２ｐｌ）、中滴（４ｐｌ）、あるいは大滴（６ｐｌ）であっても常に大滴（６ｐｌ）の補助液滴２１Ａを吐出している。すなわち、吐出される液滴２０Ａの液量に拘わらず常に一定量（ここでは６ｐｌ）の補助液滴２１Ａを吐出し、すべてのドットにおいて６ｐｌ以上の液量を確保している。
【００８３】
これにより、全てのドットで転写に必要な粘着性を確保しながら、一方でドットごとに吐出する補助液滴２１Ａの液量を算出するプロセスを省略することができ、ひいては画像形成装置１０全体の処理速度を向上させることができる。
【００８４】
本実施形態においては画像形成面全体で補助液滴２１Ａを一定の液量とするので、補助液滴２１Ａを吐出する補助液滴吐出ヘッド２１としてはドット単位で制御する必要はなく、例えば全面に補助液滴２１Ａをスプレーするノズルなどで噴霧する方式としてもよい。
【００８５】
＜第５実施形態＞
前述のように、本発明の第１実施形態に係る画像形成方法においては、液滴２０Ａの液量によっては補助液滴２１Ａを吐出し、同じドット上に補助液滴２１Ａを吐出することでドット全体としての液量を一定以上に維持し、液受容性粒子１６が十分な水分量を吸収するように制御している。
【００８６】
一方、液滴２０Ａに含まれる顔料等の記録材の量を減らし、いわゆる淡色インクとして液滴２０Ａと併用することで、小滴の液滴２０Ａよりも色の薄いドットを淡色インク（Ｐインク）の液滴２０ＰＡを吐出することで再現する方法が既に存在する。
【００８７】
本発明の第５実施形態においては、上記の方法を利用して、例えば濃度０〜２５５の２５６階調を液滴２０Ａと液滴２０ＰＡで再現しつつ、ドットごとの水分量を一定に保つことができる。
【００８８】
すなわち図１０に示すように、画像情報０（色なし）では液滴２０Ａ（インク）、液滴２０ＰＡ（淡色インク）とも吐出なし、画像情報１〜３１では液滴２０ＰＡのみ中滴（４ｐｌ）、画像情報３２〜６３では液滴２０ＰＡのみ大滴（６ｐｌ）、画像情報６４〜９５では液滴２０Ａと液滴２０ＰＡを小滴（２＋２ｐｌ）、と制御することで、液滴２０Ａが小滴（２ｐｌ）となるドットにおいても、液滴２０ＰＡ（淡色インク）と合わせて４ｐｌ以上となるように、液受容性粒子１６が吸収する水分量を一定値以上に揃えることができる。
【００８９】
これにより、階調性を維持したままドット全体としての液量を一定以上確保し、液受容性粒子１６が十分な水分量を吸収するように制御することができる。さらに、画像形成に与る液滴２０ＰＡ（淡色インク）を併用して水分量を調節するので、補助液滴吐出ヘッド２１を別途設ける必要がなく、部品点数を削減できる。
【００９０】
またここでは画像情報０となるドットを除いて、全てのドットで液量４ｐｌを確保しているが、記録媒体８の表面物性などに応じて液量６ｐｌやそれ以上を保つようにしてもよい。
【００９１】
＜評価結果＞
図１１には本発明の第１〜第５実施形態に係る画像形成方法において、転写率を従来例と比較した結果が示されている。
【００９２】
画像を記録媒体８に転写した後の中間転写体１２の表面をスキャナで取り込み、２値化（デジタイズ）を行い、転写されなかったドットの割合をもって転写不良の発生率Ｘと定義し、Ｘ＝０％であれば○、０＜Ｘ≦１０％であれば△＋、１０＜Ｘ≦２０％であれば△、２０≦Ｘ％であれば×とした。
【００９３】
記録媒体８としては最も表面が平滑なアート紙、中間的な平滑性をもつＣ２紙（上質紙）、更に参考として表面の粗いレザック６６で比較した結果、従来例では転写性が×となったアート紙では全て問題なく○であり、Ｃ２紙（上質紙）で第１および第５実施形態のみ△となった。
【００９４】
請求項２〜４のようにドットあたりの液量を一定以上とするか、全面に補助液滴２１Ａを吐出する方式においてレザック６６でも転写性は○となっている。
【００９５】
＜他の形態＞
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されず、本発明の要旨を逸脱しない範囲において種々なる態様で実施し得ることは言うまでもない。
【００９６】
すなわち、上記各実施形態においては、ブラック、イエロー、マゼンタ、シアンの各色の液滴吐出ヘッド２０から画像データに基づいて選択的に液滴２０Ａが吐出されてフルカラーの画像が記録媒体８に記録されるようになっているが、本発明は記録媒体上への文字や画像の記録に限定されるものではない。すなわち、工業的に用いられる液滴吐出（噴射）装置全般に対して、本発明に係る液滴吐出装置を適用することができる。
【００９７】
また、補助液滴吐出ヘッド２１の位置は図１２に示すように液滴２０Ａによる画像形成が終了した後に行うように、液滴吐出ヘッド２０の下流側にあってもよいし、あるいは図１３に示すように中間転写体１２をベルト状ではなく中空ドラム形状としてもよい。
【図面の簡単な説明】
【００９８】
【図１】本発明に係る画像形成装置を示す概念図である。
【図２】図１に示す画像形成装置の一部を示す拡大図である。
【図３】本発明の第１形態に係る画像形成における液滴の液量と粘着性の関係を示す表およびグラフである。
【図４】本発明の第１形態に係る画像形成における転写補助液量算出のフロー図である。
【図５】本発明の第２形態に係る画像形成におけるＰＩＸＥＬ数と粘着性の関係を示す表およびグラフである。
【図６】本発明の第２形態に係る画像形成における転写補助液吐出判定のフロー図である。
【図７】本発明の第３形態に係る画像形成における液滴の液量と粘着性の関係を示す表およびグラフである。
【図８】本発明の第３形態に係る画像形成における転写補助液量算出のフロー図である。
【図９】本発明の第４形態に係る画像形成における液滴と補助液滴の液量の関係を示す表である。
【図１０】本発明の第５形態に係る画像形成における液滴の液量と補助液滴（淡色インク）液量の関係を示す表である。
【図１１】本発明の第１形態〜第５形態に係る画像形成における転写不良減少の効果を示す表である。
【図１２】本発明に係る画像形成装置の他の形態を示す概念図である。
【図１３】本発明に係る画像形成装置の他の形態を示す概念図である。
【符号の説明】
【００９９】
８    記録媒体
１０    画像形成装置
１２    中間転写体
１４    離形剤塗布装置
１６    液受容性粒子
１８    粒子塗布装置
２０    液滴吐出ヘッド
２０Ａ  液滴
２１    補助液滴吐出ヘッド
２１Ａ  補助液滴
【図１】
2009202344.tif 000003
【図２】
2009202344.tif 000004
【図３】
2009202344.tif 000005
【図４】
2009202344.tif 000006
【図５】
2009202344.tif 000007
【図６】
2009202344.tif 000008
【図７】
2009202344.tif 000009
【図８】
2009202344.tif 000010
【図９】
2009202344.tif 000011
【図１０】
2009202344.tif 000012
【図１１】
2009202344.tif 000013
【図１２】
2009202344.tif 000014
【図１３】
2009202344.tif 000015